(57)【要約】【課題】血管等の生体組織を保持して短時間で簡単に切断することができる生体組織採取装置を提供することを目的としている。【解決手段】皮切部より腔内に挿入可能なシース２と、このシース内に挿通される内視鏡４と、シース２に一体的に設けられ且つ生体組織を切断可能な切断手段１８と、前記腔内の採取対象組織を保持するためにシース２に一体的に設けられた保持子２１とを備え、保持子２１は、前記生体組織を取り込む空間Ｓを有し、前記空間Ｓには前記シースの前後方向に対して側方に向けて開口した開閉操作可能な入口が形成され、前記空間内に前記生体組織を取り込んで前記入口を閉じて捕捉するようにした生体組織採取装置である。【選択図】図１１
2008173494.tif 000002
【特許請求の範囲】
【請求項１】
皮切部より体内に挿入可能なシースと、
このシース内に挿通され、前記シースの前方領域を観察可能な内視鏡と、
前記シースに組み付けられ、且つ前記の前方領域において生体組織を切断可能な切断手段と、
前記シースに組み付けられ、且つ前記シースの前方領域において採取対象の生体組織を捕捉するための保持子と、
を具備し、
前記保持子は、前記生体組織を取り込む空間を有し、前記空間には前記シースの前後方向に対して側方に向けて開口した開閉操作可能な入口が形成され、前記空間内に前記生体組織を取り込んで前記入口を閉じて捕捉するようにしたことを特徴とする生体組織採取装置。
【請求項２】
前記入口は前記シースから突き出した保持棒を進退させることにより開閉可能であることを特徴とする請求項１に記載の生体組織採取装置。
【請求項３】
皮切部より体内に挿入可能なシースと、
このシース内に挿通され、前記シースの前方領域を観察可能な内視鏡と、
前記シースに組み付けられ、且つ前記の前方領域において生体組織を切断可能な切断手段と、
前記シースに組み付けられ、且つ前記シースの前方領域において採取対象の生体組織を捕捉するための保持子と、
を具備し、
前記保持子は、前記シースに対し進退移動可能に組み付けられた軸部と、この軸部の前端に取り付けられた保持子本体と、前記シースに取り付けられた保持棒と、前記軸部と前記保持子本体と前記保持棒により形成され生体組織を取り込み該生体組織を捕捉可能な空間と、前記保持子本体と保持棒との間により形成され前記空間に生体組織を取り込む入口とを有し、前記入口は前記保持子本体を進退移動することにより開閉するようにしたことを特徴とする生体組織採取装置。
【請求項４】
前記保持子本体の遠位端に形成した先端部と、
前記先端部よりも近位端側に位置して前記保持子の側面に設けられ前記切断手段で切断する生体組織を引っ掛ける引掛け部と、
を具備したことを特徴とする請求項１、請求項２または請求項３に記載の生体組織採取装置。
【請求項５】
前記先端部は、前記軸部で支持される端側から前記保持棒の先端が突き当たる端側にわたり平たい形状である特徴とする請求項２、請求項３または請求項４に記載の生体組織採取装置。
【発明の詳細な説明】
【技術分野】
【０００１】
本発明は、内視鏡の観察下で生体組織、例えば大伏在静脈等の皮下血管を採取する、生体組織採取装置に係わり、特に、この生体組織採取装置に組み込まれる保持子の改良に関する。
【背景技術】
【０００２】
内視鏡の観察下で大伏在静脈等の皮下血管を牽引して採取する際に使用されるカニューレ及び外科方法は、例えばＰＣＴ／ＵＳ９９／３１２４２号や特開２０００−３７３８９号公報で知られている。
前記カニューレは、内部に器具挿通路を有する真っ直ぐな管状体で、その近位端に操作部が設けられている。カニューレの器具挿通路には操作部側から牽引子、硬性鏡及び切開鉗子が挿脱自在に挿通されている。牽引子はその遠位端にカニューレの先端部から突出してカニューレの軸方向に対して角度のあるループ部を有している。
【０００３】
前記カニューレを用いて内視鏡的に大伏在静脈等の皮下血管を採取する際には次の外科方法を採用している。すなわち、図４６に示されるように、下肢１００の大腿部の鼠頸部Ａ上部から足首Ｂに亘る大伏在静脈等の採取対象血管（以下、血管という）Ｃをその全長に亘って採取する場合、血管Ｃの直上で、例えば鼠頸部Ａ上方、または、膝Ｄ、または、足首Ｂの上のいずれか１ヶ所にメス等によって皮切部Ｅ１またはＥ２またはＥ３を設ける。
【０００４】
そして、各皮切部Ｅ１またはＥ２またはＥ３の部位にてダイセクター等により血管Ｃを露出させる。さらに各皮切部Ｅ１またはＥ２またはＥ３より肉眼で観察可能な距離について血管Ｃの直上組織を同様のダイセクター等で剥離する。
【０００５】
図４７は図４６のＸ−Ｘ線に沿う断面図であり、１０１は表皮、１０２は皮下組織、１０３は血管上結合組織であり、この血管上結合組織１０３の下部に前記血管Ｃが存在する。ここでは膝Ｄの皮切部Ｅ２から鼠頸部Ａに向かって延びる血管Ｃの採取について述べる。まず、先端にダイセクターとしてのコニカルチップが付いたカニューレを用い、血管Ｃとその周囲組織とを剥離して腔Ｇを形成する。続いて、カニューレの先端から前記コニカルチップを取り除き、皮切部Ｅ２から腔Ｇの内部に前記カニューレを挿入するとともに、硬性鏡によって観察しながら膝Ｄの皮切部Ｅ１に向かって血管Ｃの上方に沿わせるようにしてカニューレを挿入していく。
【０００６】
カニューレを腔Ｇに挿入する過程で、カニューレの近位端の操作部を操作して牽引子を進退操作しながら、その遠位端のループ部で血管Ｃを保持して皮下組織１０２と血管上結合組織１０３とから剥離させ、血管Ｃの途中から分岐された複数本の側枝Ｆを切開鉗子によって切断する。この操作を繰り返すことにより、皮切部Ｅ２からＥ１までの間の血管Ｃを採取している。
【特許文献１】ＰＣＴ／ＵＳ９９／３１２４２号
【特許文献２】特開２０００−３７３８９号公報
【発明の開示】
【発明が解決しようとする課題】
【０００７】
ところで、前述した大伏在静脈摘出システムにおいては、血管Ｃから分岐する全ての側枝Ｆを１本ずつ内視鏡下で探しながら切断していくため、血管Ｃの摘出に相当の時間を必要としていた。
【０００８】
また、側枝Ｆを切断するにあたっては、前記ループ部で側枝Ｆを保持することができないため、不安定な状態で処置が行なわれる可能性があり、その場合には、血管Ｃを傷付けてしまう虞がある。
【０００９】
本発明は前記事情に着目してなされたものであり、その目的とするところは、血管等の生体組織を保持して短時間で簡単に切断することができる生体組織採取装置を提供することにある。
【課題を解決するための手段】
【００１０】
前記課題を解決するために、請求項１の発明は、皮切部より体内に挿入可能なシースと、このシース内に挿通され、前記シースの前方領域を観察可能な内視鏡と、前記シースに組み付けられ、且つ前記の前方領域において生体組織を切断可能な切断手段と、前記シースに組み付けられ、且つ前記シースの前方領域において採取対象の生体組織を捕捉するための保持子と、を具備し、前記保持子は、前記生体組織を取り込む空間を有し、前記空間には前記シースの前後方向に対して側方に向けて開口した開閉操作可能な入口が形成され、前記空間内に前記生体組織を取り込んで前記入口を閉じて捕捉するようにしたことを特徴とする生体組織採取装置である。
【００１１】
請求項２の発明は、前記入口は前記シースから突き出した保持棒を進退させることにより開閉可能であることを特徴とする請求項１に記載の生体組織採取装置である。
【００１２】
請求項３の発明は、皮切部より体内に挿入可能なシースと、このシース内に挿通され、前記シースの前方領域を観察可能な内視鏡と、前記シースに組み付けられ、且つ前記の前方領域において生体組織を切断可能な切断手段と、前記シースに組み付けられ、且つ前記シースの前方領域において採取対象の生体組織を捕捉するための保持子と、を具備し、前記保持子は、前記シースに対し進退移動可能に組み付けられた軸部と、この軸部の前端に取り付けられた保持子本体と、前記シースに取り付けられた保持棒と、前記軸部と前記保持子本体と前記保持棒により形成され生体組織を取り込み該生体組織を捕捉可能な空間と、前記保持子本体と保持棒との間により形成され前記空間に生体組織を取り込む入口とを有し、前記入口は前記保持子本体を進退移動することにより開閉するようにしたことを特徴とする生体組織採取装置である。
【００１３】
請求項４の発明は、前記保持子本体の遠位端に形成した先端部と、前記先端部よりも近位端側に位置して前記保持子の側面に設けられ前記切断手段で切断する生体組織を引っ掛ける引掛け部と、を具備したことを特徴とする請求項１、請求項２または請求項３に記載の生体組織採取装置である。
【００１４】
請求項５の発明は、前記先端部は、前記軸部で支持される端側から前記保持棒の先端が突き当たる端側にわたり平たい形状である特徴とする請求項２、請求項３または請求項４に記載の生体組織採取装置である。
【発明の効果】
【００１５】
本発明の生体組織採取装置によれば、血管等の生体組織を保持して短時間で簡単に切断することができる。
【発明を実施するための最良の形態】
【００１６】
以下、この発明の実施の形態を図面に基づいて説明する。図１は、本発明の一実施形態に係る保持子（血管保持子）が組み込まれた生体組織採取装置としての内視鏡的血管採取装置を示し、これはトロッカー１と、処置シース２と、拡張手段としてのダイセクター３及び内視鏡としての硬性鏡４とから構成されている。
【００１７】
トロッカー１は、図２（ａ）（ｂ）に示すように、合成樹脂材料等によって一体成形されており、略円板状のフランジ５には円筒状の案内管６が斜めに貫通して設けられている。案内管６の表面には挿入時の滑りを良くするための潤滑コーティングが施されている。この案内管６の先端部６ａは鋭角にカットされており、先端部６ａの端面はフランジ５と略平行に形成されている。
【００１８】
さらに、案内管６の基端部における内周面には気密リング部７が一体に設けられ、中間部には送気口金８が一体に設けられている。また、フランジ５の下面には粘着テープ等の粘着層９が設けられ、トロッカー１を表皮に対して粘着固定できるように構成されている。
【００１９】
次に、処置シース２について説明すると、図３及び図４に示すように構成されている。シース本体１０は合成樹脂材料等からなる真っ直ぐな円筒状で、表面には挿入時の滑りを良くするための潤滑コーティングが施されている。このシース本体１０の近位端には把持部を構成する円筒状の操作部カバー１１が嵌着され、遠位端には先端カバー１２が嵌着されている。
【００２０】
図３に示されるように、シース本体１０の軸心部には内視鏡チャンネル１３が全長に亘って設けられている。内視鏡チャンネル１３の近位端は操作部カバー１１を貫通して手元側に突出しており、遠位端にはシース本体１０の前端面から突出するフランジ部１３ａが設けられている。シース本体１０の内部で、内視鏡チャンネル１３を挟んで上部側に偏心した部位には第１の処置具チャンネル１４が設けられ、下部側に偏心した部位には第２の処置具チャンネル１５が設けられている。従って、第１の処置具チャンネル１４と第２の処置具チャンネル１５は内視鏡チャンネル１３を挟んで対称的に最も離れた位置に対向配置されている。
【００２１】
第１の処置具チャンネル１４の近位端は操作部カバー１１の内部の第１のスライド操作部１６に開口しており、第２の処置具チャンネル１５の近位端は操作部カバー１１の内部の第２のスライド操作部１７に開口している。第１の処置具チャンネル１４には後述する切断手段としてのバイポーラカッター１８が軸方向に進退自在に挿通され、この近位端には第１のスライド操作部１６の長孔１６ａの範囲内で軸方向にスライド自在な処置具操作部１９が設けられている。また、バイポーラカッター１８にはバイポーラケーブル２０が接続され、このバイポーラケーブル２０は長孔１６ａから外部に導出されている。
【００２２】
第２の処置具チャンネル１５には、シース本体１０に固定して設けられた血管保持子２１の後述する保持棒１１３が軸方向に進退自在に挿通されており、また、保持棒１１３の近位端には、第２のスライド操作部１７の長孔１７ａの範囲内で軸方向にスライド自在な保持子操作部２２が設けられている。
【００２３】
図４に示されるように、シース本体１０の内部には、内視鏡チャンネル１３の一側部に、軸方向に延びる貫通穴２３が設けられている。この貫通穴２３には後述するワイパー２４のワイパーロッド２５が周方向に回転自在に挿通されている。ワイパーロッド２５の遠位端は略Ｌ字状に折曲され、その先端部にはワイパーゴム２６が設けられている。
【００２４】
ワイパーロッド２５の近位端は操作部カバー１１の内部の回動操作部２７まで延長し、操作部カバー１１の内壁に回転自在に支持されている。ワイパーロッド２５の近位端にはワイパー操作部２８が固定され、このワイパー操作部２８は操作部カバー１１の周方向の長孔２７ａの範囲内で回動自在である。
さらに、回動操作部２７の内部にはワイパーロッド２５に嵌合した状態でコイルスプリングからなるトーションコイルばね２９が設けられている。このトーションコイルばね２９はシース本体１０の端面とワイパー操作部２８との間に圧縮状態で介装され、ワイパー２４をシース本体１０の近位端方向に付勢している。その上、トーションコイルばね２９は、シース本体１０の端面とワイパー操作部２８の側面にも係止されており、ワイパーゴム２６を硬性鏡４の対物レンズ面４の側方へ退避させる方向へ付勢している。
【００２５】
また、操作部カバー１１の近位端側には内視鏡チャンネル１３に固定した状態で内視鏡保持部３０が設けられている。内視鏡保持部３０は前記硬性鏡４の接眼部３１を収納するに十分な内腔を有しており、周壁３２の一部（上部）には接眼部３１に設けられたライトガイド口金３３が挿入係合される切欠部３４が設けられている。
【００２６】
従って、図５〜図７に示すように、硬性鏡４の挿入部３５を内視鏡チャンネル１３に挿入し、ライトガイド口金３３を切欠部３４に挿入係合して接眼部３１を内視鏡保持部３０に保持すると、処置シース２に対する硬性鏡４の回り止め及び軸方向の位置決めがなされ、硬性鏡４の上下の姿勢が設定されるようになっている。
次に、ダイセクター３について説明すると、図８に示すように、真っ直ぐな円筒状の挿入筒部３６の軸心部には硬性鏡４の挿入部３５が挿通される挿通路３７が設けられている。挿入筒部３６の表面には挿入時の滑りを良くするための潤滑コーディングが施されている。この挿入筒部３６の遠位端には透明な合成樹脂材料によって円錐筒状に形成された剥離部材３８が固定されている。挿入筒部３６の近位端には内視鏡保持部３９が設けられ（図１参照）、硬性鏡４の接眼部３１を保持するようになっている。 なお、この内視鏡保持部３９は、処置シース２の内視鏡保持部３０と同一の構成を成していることが望ましい。
【００２７】
次に、バイポーラカッター１８について説明する。図９及び図１０に示すように、バイポーラカッター１８は、体内に挿入されるカッター本体４０と、カッター本体４０の先端に設けられ且つ血管を切断するための先端処置部４０ａと、この先端処置部４０ａに設けられ且つ血管を電気的に切断するための電極４２，４３とを備えている。カッター本体４０は合成樹脂材料等の絶縁部材（例えば、セラミックス）からなり、シース本体１０の円弧状の内周面に沿うように帯状板体の横断面を円弧状に湾曲した形状を成している。カッター本体４０のこのような湾曲形状（屋根形状）は、後述するように、上側からの組織の垂れ下がりを防止して（体腔内の脂肪組織を圧排して）硬性鏡４の視野を確保するために役立つ。
【００２８】
また、カッター本体４０の先端処置部４０ａには、カッター本体４０の軸方向の移動に伴って血管を電極４２，４３へと案内する案内部が形成されている。本実施の形態において、この案内部は、Ｖ字状にカットした切り欠き溝（スリット）４１によって形成されている。この場合、Ｖ字形状を形作る各辺４１ａ，４１ｂは、カッター本体４０の遠位端の両側端縁から近位端側へと円弧状部の頂部に向かって上方に延びることにより、近位端側へと先細る切り欠き溝（以下、Ｖ溝という）４１の組織案内面を形成している。
【００２９】
また、Ｖ溝４１の底部、すなわち、Ｖ字形状を形作る各辺４１ａ，４１ｂの交差部には、対向する一対の前記電極４２，４３が固定して設けられている。これらの２つの電極４２，４３は、同一面内になく、上下に位置して対向されている。
【００３０】
また、これら２つの電極のうち、上側の電極４２は、下側の電極４３に比べて表面積が大きくなっている。すなわち、上側の電極４２は、組織と接触する面積が大きく、一方、下側の電極４３は、組織と接触する面積が小さくなっており、これにより、下側の電極４３を切開（切断）電極として機能させるとともに、上側の電極４２を凝固電極として機能させるようにしている。
【００３１】
一般に、接触面積が大きい電極の方が、接触面積が小さい電極よりも切開時に止血能力が高い。後述するように（図３０等参照）、摘出される血管６１の切開された側枝７２の切開部位は、血管６１の摘出後に糸により結紮されるが、患者側の切開部位はそのまま体内に残るため止血されていることが望ましい。そのため、本実施形態では、切開電極として作用する接触面積が小さい電極４３を、下側、すなわち、摘出される血管６１の側（血管６１を保持する後述する血管保持子２１の側）に配置し、凝固電極として作用する接触面積が大きい電極４２を、上側、すなわち、体側（体内に残る側）に配置している。また、接触面積が大きい電極４２を上側すなわち体側に配置する理由は、採取される血管６１からできる限り電極４２を離して、血管６１に対する熱的影響を最小限に抑えるためである。したがって、以下、上側の電極４２を体側電極と称し、下側の電極４３をカット電極と称することにする。
【００３２】
また、体側電極４２及びカット電極４３にはそれぞれリード線４４、４５が接続されており、これらリード線４４，４５はカッター本体４０の上面及び下面に沿って配線され、前記バイポーラケーブル２０に接続されている。さらに、リード線４４、４５は絶縁皮膜４６，４７によって覆われ、絶縁されている。なお、バイポーラカッター１８は、電極４２，４３以外の部分が透明材料（アクリルなど）によって形成されていても良い。
【００３３】
次に、図１１〜図１３を参照しながら、本実施形態に係る血管保持子２１について詳細に説明する。図１１に示されるように、血管保持子２１は、シース本体１０に固定された１本の軸部５０と、この軸部５０の先端に設けられ且つ採取対象血管６１を保持するための本体２１ａと、処置シース２のシース本体１０の第２の処置具チャンネル１５内で進退する保持棒１１３とから成る。この場合、軸部５０と保持棒１１３は、本体２１ａの中心軸の両側で、この中心軸に対し略対称な位置関係を成して互いに略平行に延びている。
【００３４】
図１２に詳しく示されるように、本体２１ａは、合成樹脂材料等によって平面視で、略五角形状に形成されている。本体２１ａの上面４８は、採取血管６１を下側から安定して保持する（採取血管６１が安定して載置される）円弧状の凹面として形成されている。上面４８の両側部には、上面４８に載置された採取血管６１を両側から支持する支持壁５４ａ，５４ｂが形成されている。これら支持壁のうち、一方の第１の支持壁５４ａは、軸部５０と接続している。また、他方の第２の支持壁５４ｂは、進退する保持棒１１３と対向する位置に形成されており、保持棒１１３の先端が係脱自在に係合する係合穴５５を有している。
【００３５】
また、軸部５０と第１の支持壁５４ａとの接続部には、上面４８に面する側と反対側（軸部５０を挟んで上面４８と反対側）に、血管を引っ掛けるための引掛け部１１４が形成されている。この引掛け部１１４は、引っ掛け対象となる血管（本実施形態では、後述する側枝７２）が容易に引っ掛かってこれを逃がすことなく確実に保持できる形状、例えば、本実施形態では、側枝７２の外径と略同一もしくはこれよりも若干大きい曲率半径を有する円弧状の凹面１１４ｂと、支持壁５４ａの後端面１１４ａと、軸部５０に形成されたテーパ面１１４ｃとから成る切り欠き形状に形成されている。
【００３６】
また、本体２１ａの先端部は、組織を剥離できる鋭角な剥離部５１として形成されている。また、本体２１ａには、剥離部５１から連なるように左右対称的に第１のテーパ面５２ａ，５２ｂが形成されている。すなわち、本体２１ａの先端部は、鋭角を成して先細るテーパ形状に形成されている。さらに、剥離部５１の下面には、剥離部５１の先端に向かってテーパ状に立ち上がる（剥離部５１の上下方向の幅を狭める）斜面５３ａが形成されている。なお、本体２１ａの下面４９も上面４８の形状に沿う円弧状の凹面として形成されている。
【００３７】
図１１に示されるように、血管保持子２１の本体２１ａおよび軸部５０は、処置シース２のシース本体１０の先端（先端カバー１２）と協働して、採取対象血管６１を取り込むための凹状の空間Ｓを形成している。この空間Ｓは、シース本体１０の第２の処置具チャンネル１５内で進退する保持棒１１３によって開閉される。すなわち、保持棒１１３は、先端が第２の処置具チャンネル１５内に没する破線の開位置に位置すると、空間Ｓを完全に開放し、これによって、空間Ｓ内への血管６１の取り込みを許容する。一方、保持棒１１３は、その先端が本体２１ａの第２の支持壁５４ｂの係合穴５５に係合する一点鎖線の閉位置に位置すると、空間Ｓを完全に閉じ、空間Ｓ内に取り込まれた血管６１を保持して確実に捕捉する。なお、保持棒１１３が係合穴５５と係合する閉位置に位置されると、引掛け部１１４と同様の機能を奏する段差部１１５が、第２の支持壁５４ｂと保持棒１１３との間に形成されるようになっている。
【００３８】
また、本実施形態では、保持棒１１３を前記開位置および前記閉位置のそれぞれで固定するための固定機構が設けられている。そのような固定機構の一例が図１３（図３の（ａ）のＱ方向矢視図）に示されている。図示のように、この固定機構は、処置具シース２の操作部カバー１１における第２のスライド操作部１７の長孔１７ａの長手方向両端部に設けられたピンセット形状の一対の板バネ１１１Ａ，１１１Ｂから成る。この場合、前側の板バネ１１１Ａは、保持棒１１３の閉位置を規定しており、長孔１７ａ内にその両側から突出する一対の爪部２０５，２０５を有している。そして、これらの爪部２０５，２０５は、長孔１７ａの前端面２０２との間で、保持棒１１３の保持子操作部２２をクリック係合させる第１の係合空間２１０を形成している。また、同様に、後側の板バネ１１１Ｂは、保持棒１１３の開位置を規定しており、長孔１７ａ内にその両側から突出する一対の爪部２０６，２０６を有している。そして、これらの爪部２０６，２０６は、長孔１７ａの後端面２０１との間で、保持棒１１３の保持子操作部２２をクリック係合させる第２の係合空間２１２を形成している。すなわち、本実施形態では、保持子操作部２２が第１の係合空間２１０に位置する（クリック係合する）と、血管捕捉用の空間Ｓが閉じ、保持子操作部２２が第２の係合空間２１２に位置する（クリック係合する）と、血管捕捉用の空間Ｓが開くようになっている。
【００３９】
次に、前記ワイパー２４について説明すると、図１４に示すように構成されている。すなわち、ワイパーロッド２５の遠位端に固定されたワイパーゴム２６はワイパーロッド２５のＬ字状の折曲部に接着またはインサート成形等により固定されており、ワイパーロッド２５の軸方向に対して直角に設けられている。このワイパーゴム２６には断面が三角形状の柔軟性を有する掻き取り部２６ａが形成されており、ワイパーゴム２６の回動によって硬性鏡４の対物レンズ面４ａに付着した血液、粘膜、脂肪等の異物を掻き取ることができるようになっている。このとき、掻き取り部２６ａは、柔軟性を有するため、シース本体１０の先端面と対物レンズ面４ａとの間に段差が生じていても、その段差を乗り越えて対物レンズ面４ａに摺擦できるようになっている。
【００４０】
図１５に示されるように、ワイパー２４のワイパーロッド２５に設けられたコイルスプリングからなるトーションコイルばね２９は、その一端部がシース本体１０の端面と当接し、他端部がワイパー操作部２８の側面に係止されている。従って、トーションコイルばね２９によって、ワイパーロッド２５には、これを周方向に回動させるトルクＴと、シース本体１０の近位端方向に付勢する力Ｆとが発生し、これによって、ワイパーゴム２６は、硬性鏡４の対物レンズ面４ａの側方へ退避する退避位置と、対物レンズ面４ａに対して接触する接触位置とにそれぞれ付勢保持される。
【００４１】
図９の（ａ）（ｂ）は処置シース２の内視鏡チャンネル１３に対して硬性鏡４の挿入部３５を装填した状態を示している。この状態では、処置シース２の先端部からバイポーラカッター１８及び血管保持子２１が突出している。バイポーラケーブル２０は高周波発生装置５６に接続され、ライトガイド口金３３にはライトガイドケーブル５７が接続されている。
次に、前述のように構成された血管採取装置を用いて、下肢の大腿部の鼠頸部から足首に亘る大伏在静脈等の採取対象血管（以下、血管という）を全長に亘って採取する場合について説明する。
図１６は下肢６０を示し、６１は血管である。まず、膝６２と鼠頸部６３との間の血管６１を採取する際には、血管６１の直上で膝６２の一ヶ所にメス等によって皮切部６４を設ける。
【００４２】
続いて、皮切部６４にてダイセクター３等により血管６１を露出させる。更に、皮切部６４より肉眼で観察可能な距離について血管６１の直上組織を同様のダイセクター３等で剥離する。なお、ダイセクタ−３の剥離部材３８を通した状況は、図１８に示されるように、硬性鏡４の接眼部３１に接続されたＴＶカメラヘッド７４を介してＴＶカメラ７５によって撮像され、モニタ７６にモニタ画像として表示される。
【００４３】
次に、図１７に示されるように、血管６１に沿ってダイセクター３の剥離部材３８を少し挿入したところで、トロッカー１の案内管６を鼠頸部６３に向かって斜め（血管６１と略平行）に挿入する。この時、案内管６の先端部６ａを下向きにすると、フランジ５の下面の粘着層９が表皮６５に接着固定される。この状態で、送気口金８に送気ポンプ６６と接続されている送気チューブ６７を接続する。この場合、ダイセクター３の挿入筒部３６の外周面は気密リング７と密着していることから、案内管６および腔６９の内部は気密状態となり、かつ、案内管６と挿入筒部３６との間には送気通路６８が確保される。
【００４４】
また、図１８に示されるように、硬性鏡４のライトガイド口金３３は、ライトガイドケーブル５７を介して光源装置７８に接続されている。従って、硬性鏡４の先端部から照明光を照射して腔内６９を照明することができる。 また、送気ポンプ６６を駆動すると、送気チューブ６７、送気口金８及び送気通路６８を介して腔内６９に送気され、腔内６９が拡張される。 この時、ダイセクター３の挿入筒部３６は気密リング７と密着しているため、気体が外部に漏れることはなく、したがって、確実に腔内６９を拡張することができる。
【００４５】
ここで、腔内６９内では、図１７に示されるように、表皮６５の下層に皮下組織７０および血管上結合組織７１が存在し、また、血管上結合組織７１の周囲には血管６１が存在し、血管６１からは複数本の側枝７２が分岐している。また、側枝７２の端部は血管上結合組織７１に結合されている。更に、血管上結合組織７１には皮下脂肪７３が付着している。なお、この状態も、ダイセクタ−３の剥離部材３８を通じて硬性鏡４により観察される。図１９は、この時のモニタ７６の画像を示している。図示のように、血管６１や側枝７２をモニタ７６を通じて鮮明に観察することができる。なお、図１９において、３８ａはダイセクター３の剥離部材３８の先端部の画像である。
このように、ダイセクター３の挿入に際しては、モニタ７６によって腔内６９を観察しながら、血管６１および側枝７２に損傷を与えないように、剥離部材３８を少し押し込んで、血管上結合組織７１と血管６１および側枝７２とを剥離部材３８によって剥離し、その後、また剥離部材３８を少し戻すという操作を繰り返しながら、血管６１に沿って剥離部材３８を徐々に押し進める。なお、この時、ダイセクター３を上下・左右に振っても、トロッカー１は表皮６５に粘着層９によって固定されているため、トロッカー１が表皮６５から外れることはない。
以上のようにして、ダイセクター３を血管６１に沿って膝６２から鼠頸部６３に向かって貫通させたら、剥離手技が完了する。剥離手技が完了したら、ダイセクター３をトロッカー１から抜き取り、図１８に示されるように、硬性鏡４が挿入された処置シース２を、トロッカー１の案内管６に挿入する。この時、処置シース２の操作部カバー１１を術者が片手で把持したまま、例えば親指で保持子操作部２２を前進させると、血管保持子２１の保持棒１１３がシース本体１０の先端カバー１２から突出する。また、操作部カバー１１を把持した片手の人差し指でカッター操作部１９を前進させると、先端カバー１２からバイポーラカッター１８が突出する。すなわち、術者は操作部カバー１１を片手で把持したまま、血管保持子２１の保持棒１１３を進退させたり、バイポーラカッター１８を進退させることができる。
従って、図２０に示すように、腔内６９の血管上結合組織７０に皮下脂肪７３が大量に存在した場合にはバイポーラカッター１８を突出させた状態で、処置シース２を引きながら腔内６９を押し広げておくことができる。この時、バイポーラカッター１８は、そのカッター本体４０の湾曲形状（屋根形状）により、上側からの組織の垂れ下がりを防止する（体腔内の脂肪組織を圧排する）ため、硬性鏡４の視野を良好に確保できる。
【００４６】
続いて、図２０に示されるように、腔内６９を押し広げておいた状態で、図２１に示されるように、鼠頸部６３側の剥離した血管６１の端部で、処置シース２とともに血管保持子２１を回転させながら、本体２１ａによって血管６１を下側からすくい上げるように、本体２１ａを血管６１の下側に潜り込ませる。無論、この時、保持棒１１３は、先端が第２の処置具チャンネル１５内に没した開位置に保持されている（保持子操作部２２が第２の係合空間２１２にクリック係合している）。図２２は、この時の硬性鏡４による観察画像、すなわちモニタ７６による表示画像を示している。
【００４７】
このようにして本体２１ａによってすくい上げられた血管６１は、図２０に示されるように、本体２１ａの上面４８に載置されるとともに、血管保持子２１の本体２１ａおよび軸部５０と処置シース２のシース本体１０の先端とによって形成される凹状の空間Ｓ内に取り込まれる。そして、空間Ｓ内に血管６１を取り込んだ状態で、保持子操作部２２を前進させて、血管保持子２１の保持棒１１３をシース本体１０の先端から突出させるとともに、保持棒１１３の先端を本体２１ａの第２の支持壁５４ｂの係合穴５５に係合させる（この時、保持子操作部２２が第１の係合空間２１０にクリック係合（係止）する）。これによって、空間Ｓが完全に閉じられ、空間Ｓ内に取り込まれた血管６１は、保持棒１１３および軸部５０によって両側から保持されて確実に捕捉される。その状態が図２３および図２４に示されている（図２４はモニタ７６に表示された硬性鏡４により観察像である）。図示のように、空間Ｓが完全に閉じられると、第２の支持壁５４ｂと保持棒１１３との間に段差部１１５が形成される。すなわち、保持棒１１３によって空間Ｓを閉じることにより、血管保持子２１の両側には、硬性鏡４の中心軸を挟んで対向する２つの引っ掛け部１１４，１１５が形成されることになる。
【００４８】
このようにして、空間Ｓ内に血管６１を捕捉したら、続いて、処置シース２を膝６２の皮切部６４に向かって手元側に引き戻す。この時、血管６１を捕捉した血管保持子２１も、血管６１の下側で、血管６１に沿って、処置シース２とともに引き戻される。この場合、血管保持子２１は、本体２１ａの上面４８が円弧状の凹面に形成されているため、血管６１を上面４８に載せて滑らかに進退する（この進退によって、結合組織７１から血管６１を剥離させることも可能）ことができるとともに、血管６１に損傷を与えることがない。
以上のようにして、手元側に向かって血管保持子２１を引き戻してくると、血管保持子２１は、軸部５０および保持棒１１３によって血管６１を両側から完全に捕捉しているため、血管６１から延びる全ての側枝７２に必ず突き当たることになる。すなわち、血管保持子２１が側枝７２に突き当たると、それ以上血管保持子２１を手元側に引き戻すことができなくなる。したがって、その場合には、側枝７２をバイポーラカッター１８によって切断する必要がある。
【００４９】
例えば、図２５に示されるように、血管保持子２１がその軸部５０の側に位置する側枝７２に突き当たった場合には、側枝７２を血管上結合組織７１に対して引張る方向（図２５では、手元側から見て時計回り）に血管保持子２１を処置シース２とともに回転させ（捻り上げ）、側枝７２にテンションをかける。この時、側枝７２は、軸部５０側に形成された引掛け部１１４に引っ掛かって安定して保持されるため、血管保持子２１を単に捻り上げるだけで、側枝７２に確実にテンションが加わる。また、この時、空間Ｓ内の血管６１は、軸部５１によって側方から支持されるため、血管保持子２１の捻り上げに伴って空間Ｓから抜け出すことはない。そして、図２５に示されるように側枝７２にテンションをかけたら、既に側枝７２と対向して位置しているバイポーラカッター１８を前進させ、バイポーラカッター１８によって側枝７２を切断する。その状態が図２６に示されている。
【００５０】
一方、血管保持子２１がその保持棒１１３の側に位置する側枝７２に突き当たった場合には、側枝７２を血管上結合組織７１に対して引張る方向（手元側から見て反時計回り）に血管保持子２１を処置シース２とともに回転させ（捻り上げ）、側枝７２にテンションをかける。この時、側枝７２は、保持棒１１３と第２の支持壁５４ｂとの間に形成された段差部１１５に引っ掛かって安定して保持されるため、血管保持子２１を単に捻り上げるだけで、側枝７２に確実にテンションが加わる。また、この時、空間Ｓ内の血管６１は、保持棒１１３によって側方から支持されるため、血管保持子２１の捻り上げに伴って空間Ｓから抜け出すことはない。そして、側枝７２にテンションをかけたら、既に側枝７２と対向して位置しているバイポーラカッター１８を前進させ、バイポーラカッター１８によって側枝７２を切断する。その状態が図２７に示されている。
【００５１】
なお、図２６および図２７のいずれの場合にも、バイポーラカッター１８を前進させて側枝７２を切断する際、引っ掛け部１１４および段差部１１５は、バイポーラカッター１８が前進する方向と反対の方向から側枝７２を保持しているため、側枝７２がバイポーラカッター１８によって前方に押し出されて引っ掛け部１１４および段差部１１５から逃げることはない。
【００５２】
以上の動作を血管保持子２１が側枝７２と突き当たる度に繰り返して（図２８参照）、血管保持子２１を皮切部６４まで引き戻せば、血管６１を生体から完全に分離することができる。
【００５３】
図２９の（ａ）〜（ｃ）は、側枝７２をバイポーラカッター１８によって切断する手技を示す。これらの図から分かるように、バイポーラカッター１８の先端部にはＶ溝４１が設けられているため、バイポーラカッター１８を側枝７２に向かって前進させると、側枝７２はＶ溝４１によってその底部方向に引き寄せられる。図２９の（ｃ）に示されるように側枝７２がＶ溝４１の底部に位置した状態では、図３０の（ａ）に示されるように、側枝７２がカット電極４３に接触し、血管上結合組織７１または側枝７２に体側電極４２が接触する。すなわち、本実施の形態に係るバイポーラカッター１８においては、Ｖ字形状を形作る各辺４１ａ，４１ｂに対応するＶ溝４１の壁面によって、各辺４１ａ，４１ｂの交差部にほぼ位置する電極４２，４３へと側枝７２を案内することができる。
【００５４】
側枝７２がカット電極４３に接触し、血管上結合組織７１または側枝７２に体側電極４２が接触したことをモニタ画像によって確認したら、高周波発生装置５６のフットスイッチ８０を操作して高周波電流を通電する。すると、血管上結合組織７１または側枝７２の体側電極４２に接触している領域が凝固され、側枝７２がカット電極４３によって切断される。従って、図３０の（ｂ）に示すように、血管６１が側枝７２によって血管上結合組織７１に結合されていた部分は、側枝７２の切断によって切り離される。この時、接触面積が大きい体側電極４２は、カット電極４３よりも血管６１から上側（体側）に離れて配置されているため、血管６１に対する熱的影響は最小限に抑えられる。
【００５５】
このように、バイポーラカッター１８は、そのＶ溝４１の存在により、血管に押し当てるだけで血管を切断できるため、すなわち、血管の切断において前後動以外の動作を必要としないため、内視鏡的血管採取装置全体の操作の自由度が減り（少ない自由度で必要な動作を行なえ）、操作性が向上する。
【００５６】
ところで、側枝７２を切断する手技を繰り返すと、硬性鏡４の対物レンズ面４ａに血液、粘膜や皮下脂肪７３等の付着物８１が付着し、硬性鏡４による視野が妨げられることがある。このような場合、操作部カバー１１を把持したまま、手指によってワイパー操作部２８をトーションコイルばね２９の付勢力に抗して回動させると、図３１に示すように、ワイパーロッド２５を介してワイパー２４が回動し、ワイパーゴム２６の掻き取り部２６ａによって対物レンズ面４ａに付着している血液、粘膜や皮下脂肪７３等の付着物８１を掻き取ることができる。
【００５７】
ワイパー２４はトーションコイルばね２９によって付勢されているため、ワイパー操作部２８から手指を離すと、対物レンズ面４ａから退避する方向に復帰する。従って、前述した操作を数回繰り返すことにより、対物レンズ面４ａにこびり付いて落ち難い皮下脂肪７３等の付着物８１であってもきれいに掻き取ることができる。また、ワイパー操作部２８から手指を離すと、ワイパー２４は対物レンズ面４ａから退避する方向に復帰するため、ワイパー２４が硬性鏡４の視野を妨げることはない。
また、バイポーラカッター１８によって側枝７２を切断することを繰り返すと、図３２に示すように、バイポーラカッター１８の屋根型形状に起因して、バイポーラカッター１８の内面にも粘膜や皮下脂肪７３等の付着物８１が付着する。しかし、カッター操作部１９によってバイポーラカッター１８を後退させ、第１の処置具チャンネル１４に引き込むと、粘膜や皮下脂肪７３はシース本体１０の前端面によって掻き落とされる。従って、バイポーラカッター１８に付着した付着物８１を簡単に掻き落とすことができる。なお、本実施形態では、バイポーラカッター１８に付着した粘膜や皮下脂肪７３をシース本体１０の前端面によって掻き落とすために、バイポーラカッター１８とシース本体１０との間のクリアランス（バイポーラカッター１８の外面と第１の処置具チャンネル１４の内面との間のクリアランス）を小さく設定している。
【００５８】
また、図３３に示すように、掻き落とされた付着物８１が硬性鏡４の対物レンズ面４ａに付着して視野が妨げられることがあるが、この場合においても、前述のようにワイパー操作部２８を操作してワイパー２４を回動することにより、対物レンズ面４ａに付着している付着物８１を掻き取ることができる。
【００５９】
バイポーラカッター１８に付着した付着物８１を掻き落としたり、対物レンズ面４ａに付着した付着物８１を掻き落とす操作を繰り返しながら、前述したように側枝７２を切断して血管６１を血管上結合組織７１から切り離す手技を繰り返すことで、側枝７２の切断が終了する。そして、血管６１の真上の鼠頸部６３にメス等によって皮切部を形成し、この皮切部から血管６１を外部に引き出して血管６１を切断し、血管６１の両切断端末を糸によって結紮する。次に、膝６２の皮切部６４から足首に向かう血管６１の採取手技を行って最終的に１本の血管（約６０ｃｍ）を採取する。手技方法は前述した膝６２から鼠頸部６３までの血管６１を採取する方法と基本的に同様であり、説明を省略する。
以上説明したように、本実施形態の生体組織採取装置は、皮切部より腔内に挿入可能な処置シース２と、シース２内に挿通される内視鏡としての硬性鏡４と、シース２に一体的に設けられ且つ生体組織を切断可能な切断手段としてのバイポーラカッター１８と、前記腔内の採取対象組織である血管６１を保持するためにシース２に一体的に設けられた血管保持子２１とを備え、血管保持子２１は、血管６１を取り込むための空間Ｓと、空間Ｓを開閉可能に閉じて空間Ｓ内に血管６１を捕捉する捕捉手段としての保持棒１１３とを備えている。特に、本実施形態においては、保持子２１が、血管６１をシース２の前方で保持する保持面（上面）４８を有する本体２１ａを備え、空間Ｓが本体２１ａとシース２との間に形成されている。
【００６０】
このように、保持子２によって形成された空間Ｓ内に血管６１を取り込んで捕捉するようにすれば、保持子２１（シース２）を単に進退させるだけで、切断するべき側枝７２を発見することができる。すなわち、側枝７２を１本１本見つけ出してこれらを個々に処置するのではなく、保持子２１（シース２）を血管６１に沿って一方向に進退させて回転する操作を単に繰り返すだけで、血管６１から様々な方向で延びる全ての側枝７２を確実に捕らえてこれを連続的（流れ作業的）に切断することができる。したがって、従来に比べて採取処置の時間を大幅に短くすることができる。
【００６１】
なお、本実施形態では、保持棒１１３における開位置および閉位置の固定が手元側のクリック機構によって成されていたが、血管保持子２１の本体２１ａ側の係合孔５５の形状を工夫することによって保持棒１１３の少なくとも閉位置を固定するようにしても良い。例えば、図３４に示されるように、保持棒１１３の外径よりも小さい内径を有し且つ保持棒１１３の先端が弾性的に係止嵌合する係合穴５５Ａを本体２１ａに設けても良く、あるいは、保持棒１１３の先端に形成された球状部１１３ａと嵌合する球面を有する係合穴５５Ｂを本体２１ａに設けても良い。これらの構造によれば、保持棒１１３を閉位置に確実に保持することができる。
【００６２】
図３６には、保持棒１１３の閉位置を固定する他の構成が示されている。図３６の（ａ）に示されるように、この構成では、保持棒１１３の先端に頭部１１３ｂと首部１１３ｃとが形成されている。一方、本体２１ａに設けられた係合穴５５Ｃは、頭部１１３が係合する係合部２２０と、首部１１３ｃに係止する環状の突出部２２２とを有している。したがって、保持棒１１３の先端部を係合穴５５Ｃに押し込めば、図３６の（ｂ）に示されるように、頭部１１３と係合部２２０とが係合するとともに、首部１１３ｃに突出部２２２が係止する。
【００６３】
図３７には、保持棒１１３の閉位置を固定する更なる他の構成が示されている。図３７の（ａ）に示されるように、この構成では、保持棒１１３の先端に、空間Ｓの内側に向かう屈曲部１１３ｄが形成されており、また、本体２１ａには、その第２の支持壁５４ｂの外側壁を屈曲部１１３の形状に沿って切り欠いて成る溝状の係合穴５５Ｄが形成されている。したがって、保持棒１１３の先端部を係合穴５５Ｄに押し込むと、保持棒１１３の屈曲部１１３ｄは、空間Ｓの外側に向かって弾性的に変形して、係合穴５５Ｄに係合して保持される。
【００６４】
図３８には、血管保持子２１の第１の変形例が示されている。この変形例では軸５０がシース本体１０に対して進退し、保持棒１１３がシース本体１０に固定されている。その他の構成は、前述した実施形態と同一であるため、同一符号を付してその説明を省略する。
【００６５】
このような構造であっても、空間Ｓを開閉可能に閉じることができるため、前述した実施形態と同様の作用効果を得ることができる。
【００６６】
図３９には、血管保持子２１の第２の変形例が示されている。この変形例に係る血管保持子２１の本体２１ａは、シース本体１０内で進退する一対の各弾性保持棒１１６の先端保持体２３０，２３２によって形成されている。この場合、先端保持部２３０，２３２は、シース本体１０の中心軸に対して対称な形状を成しており、また、各弾性保持棒１１６は、シース本体１０の中心軸に対して対称に位置している。また、各弾性保持棒１１６の先端側は、シース本体１０の径方向外側に屈曲する習性（曲げ癖）が付与されており（図３９の（ｂ）参照）、各弾性保持棒１１６の先端側がシース本体１０から突出した図３９の（ｂ）の状態では、弾性保持棒１１６間に形成される血管捕捉用の空間Ｓが開放される。
【００６７】
また、各弾性保持棒１１６をシース本体１０内に引き込むと、各弾性保持棒１１６をシース本体１０の径方向内側に強制的に引き戻して直線状にすることができるとともに、各弾性保持棒１１６の先端保持部２３０，２３２同士を当接させて各弾性保持棒１１６によって形成される血管捕捉用の空間Ｓを閉じることができるようになっている（図３９の（ａ）参照）。
【００６８】
このような構造であっても、空間Ｓを開閉可能に閉じることができるため、前述した実施形態と同様の作用効果を得ることができるとともに、保持子２１をトロッカー１から抜去する際に保持子２１の破損を防止することができる。すなわち、保持子２１の本体２１ａが例えば１本の軸部５０のみによって片持ち支持されているような非対称形状を成していると、トロッカー１から保持子２１を抜去する際に、軸部５０の側方に延在する本体２１ａの部分がトロッカー１の弁等に引っ掛かって破損する可能性があるが、この変形例のように保持子２１が対称形状を成していると、トロッカー１に対する保持子２１の引っ掛かりを防止することができるため、それに伴う保持子２１の破損を防ぐことができる。
【００６９】
図４０および図４１には、血管保持子２１の第３の変形例が示されている。図４０に示されるように、この変形例に係る血管保持子２１は、シース本体１０から延びる一対の軸部５０と、各軸部５０の先端に設けられた支持体２３５，２３６と、支持体２３５，２３６間に架設され且つ支持体２３５，２３６とともに本体２１ａを形成するシート状の開閉フラップ１１７とから成る。この場合、支持体２３５，２３６は、互いに協働して、血管６１を保持する本体２１ａの凹状の上面４８を形成しており、フラップ１１７は、この上面４８の側で、支持体２３５，２３６間に架設されている。
【００７０】
なお、軸部５０と支持体２３５，２３６との間には、前述した実施例と同様に、引掛け部１１４が形成されており、軸部５０間に血管捕捉用の空間Ｓが形成されている。また、フラップ１１７は、一方の支持体２３５（２３６）のみに固定されている。また、支持体２３５，２３６は、シース本体１０の中心軸に対して対称な形状を成しており、軸部５０は、シース本体１０の中心軸に対して対称に位置している。
【００７１】
このような構成では、フラップ１１７が強制的に開かれない限り、空間Ｓは、図４０に示されるように閉じられている。しかしながら、図４１の（ａ）に示されるように、フラップ１１７を血管６１上に位置させるとともに、図４０の（ｂ）に示されるように、フラップ１１７を血管６１に押し付けると、図４０の（ｃ）に示されるようにフラップ１１７が上側に開き、図４０の（ｄ）に示されるように血管６１を空間Ｓ内に取り込むことができるとともに、再びフラップ１１７を閉じることができる。
【００７２】
したがって、このような構成によっても、空間Ｓを開閉可能に閉じることができるため、前述した実施形態と同様の作用効果を得ることができるとともに、対称形状を成しているため、保持子２１をトロッカー１から抜去する際に保持子２１の破損を防止することができる。
【００７３】
図４２〜図４５には、血管保持子２１の第４の変形例が示されている。図４２に示されるように、この変形例に係る血管保持子２１は、シース本体１０から延びる回転可能な一対の作用棒１１９ａ，１１９ｂと、各作用棒１１９ａ，１１９ｂの先端に設けられ且つ協働して本体２１ａを形成する保持体２４１，２４２とから成る。この場合、保持体２４１，２４２は、シース本体１０の中心軸に対して対称な形状を成しており、また、各作用棒１１９ａ，１１９ｂは、シース本体１０の中心軸に対して対称に位置している。
【００７４】
また、図４４に示されるように、第１の作用棒１１９ａは、操作部カバー１１の軸受本体１２１に回転可能に支持されるとともに、軸受本体１２１に回動可能に設けられた操作レバー１１８に固定されている。また、第１の作用棒１１９ａには歯車１２０が固定されている。更に、第２の作用棒１１９ａは、軸受本体１２１に回転可能に支持されるとともに、歯車１２２が固定されている。そして、歯車１２０，１２２同士は、２つの歯車１２１を介して互いに噛み合っている。なお、図４５には軸受本体１２１および歯車１２０，１２１，１２２を組み込んだ操作部カバー１１の外観図が示されている。
【００７５】
したがって、このような構成では、操作レバー１１８を一方側に回転させると、第１の作用棒１１９ａが操作レバー１１８と同じ方向に回転するとともに、歯車１２０，１２１，１２２を介して第２の作用棒１１９ｂが第１の作用棒１１９ａと反対方向に回転し、図４３に示されるように組織捕捉用の空間Ｓが開放される。一方、操作レバー１１８を他方側に回転させると、同様にして、作用棒１１９ａ，１１９ｂが回転し、図４２に示されるように空間Ｓが閉じられる。
【００７６】
したがって、このような構成によっても、空間Ｓを開閉可能に閉じることができるため、前述した実施形態と同様の作用効果を得ることができるとともに、対称形状を成しているため、保持子２１をトロッカー１から抜去する際に保持子２１の破損を防止することができる。
【００７７】
なお、本発明は、前述した実施形態に限定されず、その要旨を逸脱しない範囲で種々変形実施できることは言うまでもない。例えば、前述した実施形態では、血管採取装置に本発明が適用されているが、本発明は、血管以外の他の生体組織の採取にも適用できる。また、前述した実施形態では、側枝を切断する高周波処置具としてバイポーラカッターを用いたが、モノポーラカッターでも良く、超音波処置具あるいは機械的に切断するカッターやハサミであっても良い。
【００７８】
また、以上説明してきた技術内容によれば、以下に示されるような各種の構成が得られる。  
１．皮切部より腔内に挿入可能なシースと、このシース内に挿通される内視鏡と、前記シースに一体的に設けられ且つ生体組織を切断可能な切断手段と、前記腔内の採取対象組織を保持するために前記シースに一体的に設けられた保持子とを備えた生体組織採取装置において、前記保持子は、前記採取対象組織を取り込むための空間と、前記空間を開閉可能に閉じて前記空間内に前記採取対象組織を捕捉するための捕捉手段とを備えていることを特徴とする生体組織採取装置。  
２．前記保持子は、前記採取対象組織を前記シースの前方で保持する保持面を有する本体を備え、前記空間が前記本体と前記シースとの間に形成されていることを特徴とする第１項に記載の生体組織採取装置。  
３．前記保持子は、前記採取対象組織から延びる非採取組織を引っ掛けるための引掛け部を有していることを特徴とする第１項に記載の生体組織採取装置。  
４．前記引掛け部は、前記空間の両側に設けられていることを特徴とする第３項に記載の生体組織採取装置。  
５．前記引掛け部は、内視鏡の中心軸の両側に対向して設けられている第４項に記載の生体組織採取装置。  
６．前記切断手段は、高周波によって生体組織を切断することを特徴とする第１項に記載の生体組織採取装置。  
７．前記捕捉手段は、前記空間を開放する開位置と、前記空間を閉じる閉位置とに固定されることを特徴とする第１項に記載の生体組織採取装置。  
８．前記捕捉手段の開位置と閉位置との固定がクリック機構によって行なわれることを特徴とする第７項に記載の生体組織採取装置。  
９．前記保持体は、前記シースの中心軸に対して略対称な形状を成していることを特徴とする第１項に記載の生体組織採取装置。  
１０．皮下の生体組織を採取するための方法において、採取対象組織上で皮膚を切開することによって皮切部を形成し、前記皮切部を通じて生体内に剥離子を挿入するとともに、この剥離子によって採取対象組織をその周辺組織から剥離し、採取対象組織を前記剥離子によって剥離した後、組織切断手段と内視鏡と組織保持子とを備えたシースを前記皮切部を通じて生体内に挿入し、前記内視鏡による観察下で、剥離された採取対象組織を前記保持子によって保持するとともに、前記シースと前記保持子との間に形成された空間内に採取対象組織を取り込み、前記空間を開閉可能に閉じる捕捉手段によって、前記空間内に取り込んだ採取対象組織を前記空間内に捕捉し、前記空間内に採取対象組織を捕捉した状態で、前記シースとともに前記保持子を採取対象組織に沿って移動させ、前記保持子が採取対象組織から延びる非採取組織に突き当たる度に、前記シースとともに前記保持子を回転させることにより非採取組織にテンションをかけ、非採取組織を前記組織切断手段により切断することを特徴とする方法。
【図面の簡単な説明】
【００７９】
【図１】本発明の一実施形態に係る生体組織採取装置の分解側面図。
【図２】同実施形態を示し、（ａ）はトロッカーの斜視図、（ｂ）は同じく縦断側面図。
【図３】同実施形態を示し、硬性鏡を抜き取った状態の処置シースの縦断側面図。
【図４】同実施形態を示し、硬性鏡を抜き取った状態の処置シースの縦断平面図。
【図５】同実施形態を示し、硬性鏡を挿通した状態の処置シースの縦断側面図。
【図６】同実施形態を示し、硬性鏡を挿通した状態の処置シースの縦断平面図。
【図７】同実施形態を示し、図５の矢印Ａ方向から見た図。
【図８】同実施形態を示し、ダイセクターの先端部の縦断側面図。
【図９】同実施形態を示し、（ａ）は血管採取装置の斜視図、（ｂ）は先端部の斜視図、（ｃ）は先端部の正面図。
【図１０】同実施形態のバイポーラカッターを示し、（ａ）は上面図、（ｂ）は縦断側面図、（ｃ）は下面図。
【図１１】同実施形態の血管保持子の平面図。
【図１２】（ａ）は図１１の血管保持子の下面図、（ｂ）は正面図、（ｃ）は上面図、（ｄ）は背面図。
【図１３】図３の（ａ）のＱ方向矢視図。
【図１４】同実施形態のワイパーを示し、（ａ）は上面図、（ｂ）はＢ−Ｂ線に沿う断面図。
【図１５】同実施形態のワイパー操作部の斜視図。
【図１６】同実施形態を示し、下肢に皮切部を形成した状態の図。
【図１７】同実施形態を示し、下肢の皮切部にトロッカーを装着し、トロッカーを案内として腔内にダイセクターを挿入した状態の断面図。
【図１８】同実施形態を示し、トロッカーを案内として腔内に処置シースを挿入した状態の全体構成図。
【図１９】同実施形態のモニター画像を示す図。
【図２０】同実施形態を示し、腔内に処置シースを挿入した状態の断面図。
【図２１】血管保持子によって血管を保持する様子を示す斜視図。
【図２２】図２１のモニタ画像を示す図。
【図２３】血管捕捉用の空間を閉じた状態を示す斜視図。
【図２４】図２３のモニタ画像を示す図。
【図２５】血管保持子を一方向に回転させて側枝にテンションをかけた状態を示すモニタ画像。
【図２６】図２５の状態で側枝をバイポーラカッターで切断する様子を示すモニタ画像。
【図２７】図２５と反対方向に血管保持子を回転させて側枝にテンションをかけた状態を示すモニタ画像。
【図２８】側枝を連続的に処置していく状態を示す平面図。
【図２９】同実施形態を示し、（ａ）〜（ｃ）はバイポーラカッターの作用を示す平面図。
【図３０】同実施形態を示し、（ａ）（ｂ）はバイポーラカッターの作用を示す腔内断面図。
【図３１】同実施形態を示し、処置シースの先端部の斜視図。
【図３２】同実施形態を示し、処置シースの先端部の斜視図。
【図３３】同実施形態を示し、処置シースの先端部の斜視図。
【図３４】保持棒と血管保持子本体との係合構成の第１の例を示す一部断面を有する平面図。
【図３５】保持棒と血管保持子本体との係合構成の第２の例を示す一部断面を有する平面図。
【図３６】保持棒と血管保持子本体との係合構成の第３の例を示す一部断面を有する平面図であり、（ａ）は開状態、（ｂ）は閉状態をそれぞれ示している。
【図３７】保持棒と血管保持子本体との係合構成の第４の例を示す一部断面を有する平面図であり、（ａ）は開状態、（ｂ）は閉状態をそれぞれ示している。
【図３８】血管保持子の第１の変形例の平面図。
【図３９】血管保持子の第２の変形例の平面図であり、（ａ）は閉状態、（ｂ）は開状態をそれぞれ示している。
【図４０】（ａ）は血管保持子の第３の変形例の正面図、（ｂ）は平面図。
【図４１】図４０の血管保持子の作用を説明する図。
【図４２】（ａ）は第４の変形例に係る血管保持子の閉状態における正面図、（ｂ）は平面図。
【図４３】（ａ）は第４の変形例に係る血管保持子の開状態における正面図、（ｂ）は平面図。
【図４４】第４の変形例に係る血管保持子の開閉機構を示す斜視図。
【図４５】図４４の開閉機構を組み込んだ操作部カバーの斜視図。
【図４６】下肢に皮切部を形成した状態の図。
【図４７】図４６のＸ−Ｘ線に沿う断面図。
【符号の説明】
【００８０】
２・・・処置シース
４・・・硬性鏡（内視鏡）
１８・・・バイポーラカッター（切断手段）
２１・・・血管保持子
６１・・・血管
７２・・・側枝
１１３・・・保持棒（捕捉手段）
Ｓ・・・空間
【図１】
2008173494.tif 000003
【図２】
2008173494.tif 000004
【図３】
2008173494.tif 000005
【図４】
2008173494.tif 000006
【図５】
2008173494.tif 000007
【図６】
2008173494.tif 000008
【図７】
2008173494.tif 000009
【図８】
2008173494.tif 000010
【図９】
2008173494.tif 000011
【図１０】
2008173494.tif 000012
【図１１】
2008173494.tif 000013
【図１２】
2008173494.tif 000014
【図１３】
2008173494.tif 000015
【図１４】
2008173494.tif 000016
【図１５】
2008173494.tif 000017
【図１６】
2008173494.tif 000018
【図１７】
2008173494.tif 000019
【図１８】
2008173494.tif 000020
【図１９】
2008173494.tif 000021
【図２０】
2008173494.tif 000022
【図２１】
2008173494.tif 000023
【図２２】
2008173494.tif 000024
【図２３】
2008173494.tif 000025
【図２４】
2008173494.tif 000026
【図２５】
2008173494.tif 000027
【図２６】
2008173494.tif 000028
【図２７】
2008173494.tif 000029
【図２８】
2008173494.tif 000030
【図２９】
2008173494.tif 000031
【図３０】
2008173494.tif 000032
【図３１】
2008173494.tif 000033
【図３２】
2008173494.tif 000034
【図３３】
2008173494.tif 000035
【図３４】
2008173494.tif 000036
【図３５】
2008173494.tif 000037
【図３６】
2008173494.tif 000038
【図３７】
2008173494.tif 000039
【図３８】
2008173494.tif 000040
【図３９】
2008173494.tif 000041
【図４０】
2008173494.tif 000042
【図４１】
2008173494.tif 000043
【図４２】
2008173494.tif 000044
【図４３】
2008173494.tif 000045
【図４４】
2008173494.tif 000046
【図４５】
2008173494.tif 000047
【図４６】
2008173494.tif 000048
【図４７】
2008173494.tif 000049